(57)【要約】【課題】上記リモコン装置上のタッチパッドにてディスプレイ装置を遠隔操作する場合、タッチパッドの縦横比とディスプレイ画面の縦横比とが一致せず、そのためタッチパッド上で操作無効となるタッチ領域が生じてしまう、という課題がある。【解決手段】以上課題解決のため、本発明は、第一にリモコンのタッチパッドと、ディスプレイ画面との縦横比が同じであることを特徴とするディスプレイシステムを提供する。また、第二にディスプレイ画面の縦横比情報を受信し、その縦横比情報を利用してタッチパッド上の操作不可領域を設定する機能を備えるリモコン装置を提供する。また、第三に、ディスプレイ画面の縦横比情報を受信し、その縦横比情報と写像関数とを利用してユーザーのタッチした座標情報を補正する機能を備えるリモコン装置を提供する。また第四に、第三同様の写像変換処理を行うディスプレイ装置も提供する。【選択図】図２
2009253773.tif 000002
【特許請求の範囲】
【請求項１】
ディスプレイ装置と、
前記ディスプレイ装置のディスプレイ画面の縦横比と同じ縦横比のタッチパッドを備え、これによりディスプレイ装置のディスプレイ画面を遠隔操作するためのリモコン装置と、
からなるディスプレイシステム。
【請求項２】
複数種類のディスプレイ装置に対して操作信号を送信可能な通信部と、
ディスプレイ画面を遠隔操作するためのタッチパッド部と、
操作対象となるディスプレイの縦横比情報を取得する縦横比情報取得部と、
縦横比情報に基づいてタッチパッド部のタッチ領域内の操作可能領域の縦横比がディスプレイの縦横比と同じとなるようにタッチ領域内に設定すべき操作不可領域を特定するための演算式を格納した演算式格納部と、
前記縦横比情報と演算式に従って操作不可領域を演算する操作不可領域演算部と、
操作不可領域演算部での演算結果に基づいてタッチパッド部のタッチ領域内に操作不可領域として特定される領域を操作不可に設定する操作不可設定部と、
を有するリモコン装置。
【請求項３】
操作不可設定部にて操作不可とされたタッチパッド部のタッチ領域を操作不可領域として利用者に識別可能に表示する識別表示部をさらに有する請求項２に記載のリモコン装置。
【請求項４】
複数種類のディスプレイ装置に対して操作信号を送信可能な通信部と、
ディスプレイ画面を遠隔操作するためのタッチパッド部と、
操作対象となるディスプレイの縦横比情報を取得する縦横比情報取得部と、
タッチパッド上のタッチ位置とディスプレイ上の指示位置との写像関数をディスプレイ縦横比情報に応じて複数種類保持する写像関数保持部と、
タッチパッド部でのタッチ位置を取得するタッチ位置取得部と、
取得したディスプレイ縦横比情報により写像関数保持部から選択される写像関数を利用して取得したタッチ位置をディスプレイ上の指示位置に変換する変換部と、
を有するリモコン装置。
【請求項５】
複数種類のディスプレイ操作用のタッチパッドを備えたリモコン装置からの操作信号を受信可能な第二通信部と、
リモコン装置のタッチパッドの縦横比情報を取得する第二縦横比情報取得部と、
タッチパッド上のタッチ位置とディスプレイ上の指示位置との写像関数をタッチパッド縦横比情報に応じて複数種類保持する第二写像関数保持部と、
タッチパッド部でのタッチ位置を取得する第二タッチ位置取得部と、
取得したタッチパッド縦横比情報により写像関数保持部から選択される写像関数を利用して取得したタッチ位置をディスプレイ上の指示位置に変換する第二変換部と、
を有するディスプレイ装置。
【請求項６】
複数種類のディスプレイ装置に対して操作信号を送信可能な通信部と、ディスプレイ画面を遠隔操作するためのタッチパッド部と、を有するリモコン装置の制御方法であって、
操作対象となるディスプレイの縦横比情報を取得する縦横比情報取得ステップと、
縦横比情報に基づいてタッチパッド部のタッチ領域内の操作可能領域の縦横比がディスプレイの縦横比と同じとなるようにタッチ領域内に設定すべき操作不可領域を特定するための演算式を格納するため記録する演算式格納ステップと、
前記縦横比情報と演算式に従って操作不可領域を演算する操作不可領域演算ステップと、
操作不可領域演算ステップでの演算結果に基づいてタッチパッド部のタッチ領域内に操作不可領域として特定される領域を操作不可に設定する操作不可設定ステップと、
を計算機に実行させるリモコン装置の制御方法。
【請求項７】
操作不可設定ステップにて操作不可とされたタッチパッド部のタッチ領域を操作不可領域として利用者に識別可能に表示する識別表示ステップをさらに計算機に実行させる請求項６に記載のリモコン装置の制御方法。
【請求項８】
複数種類のディスプレイ装置に対して操作信号を送信可能な通信部と、ディスプレイ画面を遠隔操作するためのタッチパッド部と、を有するリモコン装置の制御方法であって、
操作対象となるディスプレイの縦横比情報を取得する縦横比情報取得ステップと、
タッチパッド上のタッチ位置とディスプレイ上の指示位置との写像関数をディスプレイ縦横比情報に応じて複数種類保持するために写像関数保持部に記録する記録ステップと、
タッチパッド部でのタッチ位置を取得するタッチ位置取得ステップと、
取得したディスプレイ縦横比情報により写像関数保持部から選択される写像関数を利用して取得したタッチ位置をディスプレイ上の指示位置に変換する変換ステップと、
を計算機に実行させるリモコン装置の制御方法。
【請求項９】
複数種類のディスプレイ操作用のタッチパッドを備えたリモコン装置からの操作信号を受信可能な通信部を有するディスプレイ装置の制御方法であって、
リモコン装置のタッチパッドの縦横比情報を取得する第二縦横比情報取得ステップと、
タッチパッド上のタッチ位置とディスプレイ上の指示位置との写像関数をタッチパッド縦横比情報に応じて複数種類保持する写像関数保持部に記録する第二記録ステップと、
タッチパッド部でのタッチ位置を取得する第二タッチ位置取得ステップと、
取得したタッチパッド縦横比情報により写像関数保持部から選択される写像関数を利用して取得したタッチ位置をディスプレイ上の指示位置に変換する第二変換ステップと、
を計算機に実行させるディスプレイ装置の制御方法。
【発明の詳細な説明】
【技術分野】
【０００１】
本発明は、タッチパッドを利用してディスプレイ装置を遠隔操作する機能を備えるリモコン装置などにおいて、その操作性を向上させるための技術に関する。
【背景技術】
【０００２】
従来、タッチパッドなどを利用して機器の操作を行うユーザーインターフェース（ＵＩ）技術がさまざま提供されている。なぜならば、例えばタッチパッド上を指などでなぞるとその動きに合わせてディスプレイ上のカーソルが動く、あるいはタッチパネル上に表示された決定ボタン画像に触れると決定処理が実行される、という具合にタッチパッドなどを利用したＵＩは操作行動と操作内容が直結するため、極めて直感的な操作が可能となるからである。また上記タッチパッドなどを利用した操作系では、特許文献１にあるように、遠隔操作用のリモコン上にタッチパッドを設ける、という具合にディスプレイ装置とタッチパッドとを別体とする構成も多く見られる。
【特許文献１】特開２００５−１３６５１８号公報
【発明の開示】
【発明が解決しようとする課題】
【０００３】
しかし、上記リモコン装置上に設けられたタッチパッドなどにてディスプレイ装置を遠隔操作する場合、以下のような課題が発生する場合がある。すなわちディスプレイは、縦横比「３：４」のスタンダードタイプの他、「９：１６」のビスタサイズなどさまざまな画面サイズのものが提供されている。そのためリモコン上のタッチパッドなどの縦横比とディスプレイ画面の縦横比とが一致しないことがある、という課題が生じる可能性がある。
【０００４】
そしてリモコン上のタッチパッドなどとディスプレイ画面との縦横比が一致しない場合、指でなぞったりタッチして指定したりするタッチパッド上の範囲が足りず、ディスプレイ外縁部に対する操作が出来ない、などの問題が発生する。あるいは逆にディスプレイ側の領域が足りず、タッチパッドの外縁領域を指でなぞったりタッチして指定したりしてもディスプレイの操作に反映されない、といった問題が発生する。
【課題を解決するための手段】
【０００５】
以上の課題を解決するために、本発明は、以下のようなリモコン装置やディスプレイ装置、及びそれら装置の制御方法を提供する。第一に、リモコン装置とディスプレイ装置からなるシステムであって、リモコンに設けられたタッチパッドなどと、ディスプレイ画面との縦横比が同じであることを特徴とするディスプレイシステムを提供する。具体的には、ディスプレイ装置と、前記ディスプレイ装置のディスプレイ画面の縦横比と同じ縦横比のタッチパッドを備え、これによりディスプレイ装置のディスプレイ画面を遠隔操作するためのリモコン装置と、からなるディスプレイシステムである。
【０００６】
第二に、例えばIrSimpleなどの双方向通信を利用してディスプレイ画面の縦横比情報を受信し、その縦横比情報を利用してタッチパッド上の操作不可領域を設定する機能を備えるリモコン装置を提供する。具体的には、複数種類のディスプレイ装置に対して操作信号を送信可能な通信部と、ディスプレイ画面を遠隔操作するためのタッチパッド部と、操作対象となるディスプレイの縦横比情報を取得する縦横比情報取得部と、縦横比情報に基づいてタッチパッド部のタッチ領域内の操作可能領域の縦横比がディスプレイの縦横比と同じとなるようにタッチ領域内に設定すべき操作不可領域を特定するための演算式を格納した演算式格納部と、前記演算式に従って操作不可領域を演算する操作不可領域演算部と、操作不可領域演算部での演算結果に基づいてタッチパッド部のタッチ領域内に操作不可領域として特定される領域を操作不可に設定する操作不可設定部と、を有するリモコン装置である。また、そのように設定された操作不可領域を利用者に識別可能に表示する機能を備えたリモコン装置も提供する。
【０００７】
第三に、例えばIrSimpleなどの双方向通信を利用してディスプレイ画面の縦横比情報を受信し、その縦横比情報と写像関数とを利用してユーザーのタッチした座標情報を補正する機能を備えるリモコン装置を提供する。具体的には、複数種類のディスプレイ装置に対して操作信号を送信可能な通信部と、ディスプレイ画面を遠隔操作するためのタッチパッド部と、操作対象となるディスプレイの縦横比情報を取得する縦横比情報取得部と、タッチパッド上のタッチ位置とディスプレイ上の指示位置との写像関数をディスプレイ縦横比情報に応じて複数種類保持する写像関数保持部と、タッチパッド部でのタッチ位置を取得するタッチ位置取得部と、取得したディスプレイ縦横比情報により写像関数保持部から選択される写像関数を利用して取得したタッチ位置をディスプレイ上の指示位置に変換する変換部と、を有するリモコン装置である。
【０００８】
第四に、例えば上記縦横比情報と写像関数を利用したユーザーのタッチ位置の補正処理をディスプレイ装置側で実行するよう構成されたディスプレイ装置を提供する。具体的には、複数種類のディスプレイ操作用のタッチパッドを備えたリモコン装置からの操作信号を受信可能な通信部と、リモコン装置のタッチパッドの縦横比情報を取得する縦横比情報取得部と、タッチパッド上のタッチ位置とディスプレイ上の指示位置との写像関数をタッチパッド縦横比情報に応じて複数種類保持する写像関数保持部と、タッチパッド部でのタッチ位置を取得するタッチ位置取得部と、取得したタッチパッド縦横比情報により写像関数保持部から選択される写像関数を利用して取得したタッチ位置をディスプレイ上の指示位置に変換する変換部と、を有するディスプレイ装置である。
【０００９】
また、上記リモコン装置やディスプレイ装置を実現するためのそれらの制御方法も合わせて提供する。
【発明の効果】
【００１０】
以上のような構成をとる本発明によって、縦横比が異なるタッチパッドを利用してディスプレイ装置を遠隔操作する場合に、ディスプレイ上の操作できない領域やタッチパッド上の操作が反映されない領域を無くすことができる。したがって、タッチパッドをタッチしているのに操作できない、あるいはディスプレイ上に操作できない領域がある、といった事態が発生しなくなるので、ユーザーにストレスの無い快適な操作環境を提供することができる。
【発明を実施するための最良の形態】
【００１１】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１について説明する。また、実施例２は、主に請求項２、６について説明する。また、実施例３は、主に請求項３、７について説明する。また、実施例４は、主に請求項４、８について説明する。また、実施例５は、主に請求項５、９について説明する。
【００１２】
≪実施例１≫
<概要>
図１は、本実施例のディスプレイシステムにおける構成上の特徴点の一例を説明するための概念図である。この図１（ａ）にあるように、本実施例のディスプレイシステムは、例えばディスプレイの画面αの縦横比が「９：１６」であれば、そのディスプレイを遠隔操作するためのリモコン装置に設けられたタッチパッドβの縦横比も「９：１６」であることを特徴とする。あるいは図１（ｂ）に示すように、例えばディスプレイの画面αの縦横比が「３：４」であれば、そのディスプレイを遠隔操作するためのリモコン装置に設けられたタッチパッドβの縦横比も「３：４」であることを特徴とする。
【００１３】
このように、本実施例のディスプレイシステムでは、ディスプレイ装置の画面縦横比と、当該ディスプレイ装置を操作するためのリモコン装置のタッチパッド縦横比とが同じになるよう構成することを特徴とする。そして、このように構成することで、ディスプレイ上に操作できない領域が生じることやタッチパッド上の操作が反映されない領域が生じることがないので、ユーザーはストレス無く操作を行うことができる。
【００１４】
<構造>
図２は、本実施例のディスプレイシステムにおける構造の一例を表す図である。この図にあるように、本実施例のディスプレイシステムは、「ディスプレイ装置」（０２００）と、「リモコン装置」（０２１０）と、からなる。そしてリモコン装置が、ディスプレイ装置のディスプレイ画面αの縦横比と同じ縦横比のタッチパッドβを備え、これによりディスプレイ装置のディスプレイ画面を遠隔操作することを特徴とする。
【００１５】
なお「縦横比が等しい」とは、サイズ上の縦横比には限定されず、例えばディスプレイの表示エリアの縦横比とタッチパッドの縦横比が等しいことや、あるいはディスプレイの縦横の画素（ピクセル）数比と、タッチパッドの縦横の分解能（ピクセル）比とが等しいことなども含まれる概念である。
【００１６】
<効果の簡単な説明>
以上のように本実施例のディスプレイシステムでは、ディスプレイ装置の画面などの縦横比と、当該ディスプレイ装置を操作するためのリモコン装置のタッチパッドの縦横比とが同じになるよう構成されている。したがってディスプレイ上に操作できない領域が生じることやタッチパッド上の操作が反映されない領域が生じることがないので、ユーザーはストレス無く操作を行うことができる。
【００１７】
≪実施例２≫
<概要>
図３は、本実施例のリモコン装置によるタッチパッドを利用したディスプレイの遠隔操作の一例を説明するための図である。この図にあるように、本実施例のリモコン装置が遠隔操作の対象としているディスプレイαは、その画面縦横比が「９：１６」である。一方、本実施例のリモコン装置に設けられているタッチパッドβは、その縦横比が「３：４」である。このように、両者の縦横比が異なっている場合、本実施例のリモコン装置は以下の処理を行うことを特徴とする。
【００１８】
すなわち、IrSimpleなどの双方向通信を利用して、リモコン装置はディスプレイ画面の縦横比情報を取得する。そして取得した縦横比情報に合わせて、図中斜線で示す自身のタッチパッド上領域を操作不可領域として設定する、という具合である。
【００１９】
<機能的構成>
図４は、本実施例のリモコン装置における機能ブロックの一例を表す図である。この図にあるように、本実施例の「リモコン装置」（０４００）は、「通信部」（０４０１）と、「タッチパッド部」（０４０２）と、「縦横比情報取得部」（０４０３）と、「演算式格納部」（０４０４）と、「操作不可領域演算部」（０４０５）と、「操作不可設定部」（０４０６）と、を有する。
【００２０】
なお、以下に記載する本リモコン装置やディスプレイ装置などの機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザーインターフェース用アプリケーションなどが挙げられる。
【００２１】
そして主メモリ上に展開したプログラムに従ったＣＰＵの演算処理によって、入力デバイスやその他インターフェースなどから入力されメモリやハードディスク上に保持されているデータなどが加工、蓄積されたり、上記各ハードウェアやソフトウェアを制御するための命令が生成されたりする。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２２】
「通信部」（０４０１）は、複数のディスプレイ装置に対して操作信号を送信可能に構成されている。具体的に、例えばIrSimple、ブルートゥース、RF（Radio Frequency）などの双方向通信方式を採用することで、通信部はディスプレイ装置への各種操作信号の送信に加えて、後述するディスプレイ装置からの縦横比情報などを受信可能としても良い。もちろん通信部は従来どおり赤外線通信方式などの単方向通信方式として、後述するディスプレイ装置からの情報取得は別のハードウェアによってなされるよう構成しても良い。
【００２３】
また本実施例のリモコン装置では、この通信部において「複数のディスプレイ装置に対して操作信号を送信可能に構成されている」こと、すなわち、いわゆる「汎用リモコン」であることを特徴とする。したがって本実施例のリモコン装置は、さまざまな縦横比の画面などを有する複数のディスプレイ装置が操作対象となりうることを意味する。
【００２４】
「タッチパッド部」（０４０２）は、ディスプレイ画面を遠隔操作する機能を有し、例えば静電式や感圧式、光学式、電波式などによる接触検知、あるいは非接触検知を行うセンサなどのタッチパッドが挙げられる。また、このタッチパッド部は、情報表示機能をさらに備えるいわゆる「タッチスクリーン」であっても良い。そしてタッチパッド部では上記検知方式によってタッチパッド上のタッチ位置を検知して、通信部からそのタッチ位置に対応した操作信号をディスプレイ装置に対して送信する、という具合である。
【００２５】
しかし前述のようにこのタッチパッドの縦横比と、ディスプレイの画面縦横比などとが異なっている場合、タッチパッドにタッチしてもディスプレイ装置の操作に反映されない領域がタッチパッド上に存在することになる。そこで、本実施例のリモコン装置では以下の構成によって、ディスプレイ装置の画面縦横比などに合わせてリモコン装置のタッチパッドの操作不可領域を設定する。
【００２６】
「縦横比情報取得部」（０４０３）は、操作対象となるディスプレイの縦横比情報を取得する機能を有し、例えば通信部が双方向通信方式で実現されていれば、通信部と同じハードウェアで構成されると良いし、通信部とは別体の通信ＩＦ及び通信回路によって構成されると良い。また、「ディスプレイの縦横比」とは、画面サイズの縦横比を示す情報のほか、実施例１にて説明したように表示エリアの縦横比情報、画素ピクセル数の縦横比情報などが挙げられる。
【００２７】
また縦横比情報取得部は、操作対象となるディスプレイ装置から直接送信されてくる縦横比を示す情報を受信するよう構成されても良い。あるいはリモコン装置内部にディスプレイ装置ごとの縦横比情報をディスプレイ装置ＩＤと関連付けてテーブル化したマスタデータを保持しておき、操作対象となるディスプレイ装置からはそのＩＤ情報を受信することで、内部検索処理によって縦横比情報を取得する構成であっても良い。
【００２８】
なお、この縦横比情報取得部で取得する縦横比情報は、ディスプレイ装置との通信などによって取得すると良い。そこで、以下にそのディスプレイ装置の構成要件について簡単に説明する。すなわちディスプレイ装置は、「ディスプレイ」と、「情報格納部」と、「通信部」と、を有する。ここで、「情報格納部」は例えばフラッシュメモリなどの記憶媒体によって実現され、自身のディスプレイの縦横比情報や、自身を識別するためのＩＤ情報などを格納している。そして、本実施例のリモコン装置からのリクエスト信号などを「通信部」にて受信すると、「情報格納部」に格納している縦横比情報や自身のＩＤ情報を「通信部」からリモコン装置に対して返信する、という具合である。そして、このようにして本実施例のリモコン装置では縦横比情報を取得することができる。
【００２９】
また、このようなディスプレイ装置との通信による縦横比情報の取得以外に以下のようにしてリモコン装置にてその縦横比情報を取得するよう構成しても良い。例えば、ディスプレイ装置側で、ディスプレイの上端から下端まで光点を所定速度で移動表示させる。そしてリモコン装置側では、その光点の移動をカメラなどで検知して移動時間と速度からディスプレイの縦の長さを算出する。また同様に左端から右端までの光点移動によってディスプレイの横の長さを算出し縦横比情報を取得する、という具合である。あるいは、ディスプレイ装置にてディスプレイ全体を青色などで一色表示させて、それをリモコン装置のカメラなどで画像情報として取得する。そして、取得画像で示される青色領域の縦横比を算出し、ディスプレイの縦横比情報を取得するよう構成しても良い。
【００３０】
「演算式格納部」（０４０４）は、縦横比情報に基づいてタッチパッドのタッチ領域内に操作不可領域を特定するための演算式を格納する機能を有し、例えばフラッシュメモリや小型ＨＤＤ、その他リモコン装置に適した小型の記録媒体によって実現することが出来る。「操作不可領域」とは、タッチパッド部のタッチ領域内の操作可能領域の縦横比がディスプレイの縦横比と同じとなるようにタッチ領域内に設定すべき領域をいう。
【００３１】
図５は、演算式格納部に格納されている演算式の一例を表す図である。この図にあるように、例えばディスプレイの縦横比を「Ｙ：Ｘ」、タッチパッドの縦横比を「ｂ：ａ」として、「ｂＸ−ａＹ」の値が０であれば、両者の縦横比は同じであるので操作不可領域を設定するための演算式は必要ない。一方、「ｂＸ−ａＹ」の値が０より大きければ、タッチパッドがディスプレイよりも縦長であるので、その上下領域に操作不可領域を設定するための演算式「ｋ＝１／２（ｂＸ／ａ−Ｙ）」（ｋ：操作不可とする領域の縦の比率）が格納されている。また、「ｂＸ−ａＹ」の値が０未満であれば、タッチパッドがディスプレイよりも横長であるので、その左右領域に操作不可領域を設定するための演算式「ｋ'＝１／２（ａＹ／ｂ−Ｘ）」（ｋ'：操作不可とする領域の横の比率）が格納されている、という具合である。
【００３２】
また、リモコン装置に備えられているタッチパッドの縦横比は予め特定可能であるので、上記式中ａ，ｂの値がすでに代入されている式が格納されていても良い。また、ディスプレイの画面縦横比は、通常スタンダードサイズ（縦横比３：４）、ビスタサイズ（縦横比９：１６）と言った一般的な縦横比が存在するため、予めそれら縦横比に応じて算出されている操作不可とする領域の縦（又は横）の比を定めるテーブルデータを演算式として格納しても良い。
【００３３】
図６は、その演算式として格納されているテーブルデータの一例を表す図である。例えばタッチパッドの縦横比が３：４のリモコン装置には、図６（ａ）に示すようなテーブルデータが格納されている。すなわち、この場合ディスプレイの画面縦横比などが「９：１６」であれば、タッチパッドの上下「ｎ×１／８」ピクセル（ｎはタッチパッドの縦分解能など）分を操作不可領域とする、といった演算式である。また、例えばタッチパッドの縦横比が１：１のリモコン装置には、図６（ｂ）に示すようなテーブルデータが格納されている、と言う具合である。
【００３４】
「操作不可領域演算部」（０４０５）は、前記縦横比情報と演算式に従って操作不可領域を演算する機能を有し、例えばＣＰＵと主メモリなどの演算装置によって実現することができる。具体的に、図５に示すような演算式がフラッシュメモリなどの演算式格納部から読み出される。そして縦横比情報取得部にて取得されたディスプレイの縦横比情報（Ｘ，Ｙ）、及び自身のフラッシュメモリなどに予め格納、保持されているタッチパッドの縦横比情報（ａ，ｂ）が読み出された演算式の各値に代入され、ＣＰＵなどの演算処理によって操作不可領域を決定するための値が演算される、という具合である。
【００３５】
図７は、この操作不可領域演算部での演算結果の一例を表す図である。この図にあるように、ディスプレイの縦横比が「９：１６」であり、タッチパッドの縦横の分解能が３２０×２４０（ピクセル）である場合、図５に示すような演算式により、斜線で示す上下３０（ピクセル）分が操作不可領域として演算される、という具合である。
【００３６】
また、演算式が図６に示すようなテーブルデータであれば、縦横比情報取得部にて取得されたディスプレイの縦横比情報をキーとして、ＣＰＵなどの論理演算処理によって当該縦横比情報に対応する操作不可領域を決定するための値を取得する処理を行っても良い。
【００３７】
「操作不可設定部」（０４０６）は、操作不可領域演算部での演算結果に基づいてタッチパッド部のタッチ領域内に操作不可領域として特定される領域を操作不可に設定する機能を有する。「操作不可に設定」とは、具体的に例えば、演算によって決定された操作不可領域のタッチ信号を処理しないよう構成するなどしてプログラム的に実現する方法や、物理的なカバーがタッチパッド上の操作不可領域を覆うよう構成して物理的に実現する方法が挙げられる。また、操作不可領域として設定した場所にタッチした場合、再タッチ入力を促す警告音の発信や、タッチスクリーン上へのタッチ操作不可を通知するためのアイコン表示などを行っても良い。
【００３８】
このようにして、本実施例のリモコン装置ではディスプレイ装置の画面縦横比などに合わせて、リモコン装置のタッチパッドの操作不可領域を設定することができる。そしてその操作不可領域と設定した箇所にユーザーがタッチした場合に通知などを行うことで、ユーザーのタッチ操作を効率的にすることができるようになる。
【００３９】
<ハードウェア的構成>
図８は、上記機能的な各構成要件をハードウェアとして実現した際の、リモコン装置における構成の一例を表す概略図である。この図を利用して操作不可領域の設定処理におけるそれぞれのハードウェア構成部の働きについて説明する。
【００４０】
この図にあるように、リモコン装置は、操作不可領域演算部であり、またその他の各種演算処理を行う「ＣＰＵ（中央演算装置）」（０８０１）と、「主メモリ」（０８０２）と、を備えている。また演算式格納部である「フラッシュメモリ」（０８０３）や、通信部及び縦横比情報取得部である「通信ＩＦ」（０８０４）、タッチパッド部及び操作不可設定部である「（タッチパッドの）制御機構」（０８０５）と「タッチパッド」（０８０６）も備えている。そしてそれらが「システムバス」などのデータ通信経路によって相互に接続され、情報の送受信や処理を行う。
【００４１】
また、「主メモリ」にはプログラムが読み出され、「ＣＰＵ」は読み出された当該プログラムを参照することで各種演算処理を実行する。また、この「主メモリ」や「フラッシュメモリ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００４２】
ここで、まず縦横比情報取得プログラムに従った「ＣＰＵ」の制御命令出力によって、例えばディスプレイ装置との双方向通信などによって縦横比情報の送信リクエストを「通信ＩＦ」からディスプレイ装置に対して出力する。そして、そのレスポンスとして「通信ＩＦ」にて受信した「ディスプレイの縦横比」を「主メモリ」のアドレス１に格納する。
【００４３】
続いて操作不可領域演算プログラムにしたがって、「フラッシュメモリ」のアドレスＡに格納されている演算式が「主メモリ」のアドレス２に読み出される。また、場合によっては図示しない自身の「タッチパッド」の縦横比情報が「フラッシュメモリ」から「主メモリ」の所定アドレスに読み出される。そして、「ＣＰＵ」の演算処理によって、演算式に縦横比を示す数値が代入され値ｋが算出される。そして、その値ｋを演算結果として「主メモリ」のアドレス３に格納する。そして、その演算結果にしたがって、例えばＣＰＵの演算処理によって「ｋ×分解能ピクセル数」などの演算によって操作不可領域を設定するための命令を生成し、「主メモリ」のアドレス４に格納する。
【００４４】
そして、例えば「タッチパッド」へのタッチによって「制御機構」などの処理で取得されたタッチ位置情報（座標情報）が、操作不可設定命令で示される操作不可領域内に含まれる座標か否かの判断処理を、操作不可設定プログラムに従った「ＣＰＵ」の演算処理によって実行する。そしてタッチ位置が操作不可領域内であるとの判断結果が出力された場合、例えば、再タッチ入力を促す警告音の発信や、タッチスクリーン上へのタッチ操作不可を通知するためのアイコン表示のための処理を実行する。
【００４５】
また通信プログラムにしたがって、前記処理によって操作不可領域と設定された以外の「タッチパッド」領域へのタッチ位置情報などが操作信号として「通信ＩＦ」から送信される、という具合である。
【００４６】
<処理の流れ>
図９は、本実施例のリモコン装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、操作対象となるディスプレイの縦横比情報を取得する（ステップＳ０９０１）。続いて、予め演算式格納部に格納されている演算式を取得し（ステップＳ０９０２）、縦横比情報と演算式とに従って操作不可領域を演算する（ステップＳ０９０３）。そして最後に、演算結果に基づいてタッチパッド部のタッチ領域内に操作不可領域を設定する（ステップＳ０９０４）。
【００４７】
<効果の簡単な説明>
以上のように本実施例のリモコン装置によって、ディスプレイ装置の画面縦横比などに合わせて、リモコン装置のタッチパッドの操作不可領域を設定することができる。そしてその操作不可領域と設定した箇所にユーザーがタッチした場合に通知などを行うことで、ユーザーのタッチ操作を効率的にすることができるようになる。
【００４８】
≪実施例３≫
<概要>
本実施例は、上記実施例２を基本として、演算の結果操作不可とされたタッチパッド上の領域を例えば黒塗りでマスキング表示し、その他の領域を白塗りで表示する、と言う具合に、ユーザーが操作不可領域を容易に視認して区別できるように構成されていることを特徴とするリモコン装置である。
【００４９】
<機能的構成>
図１０は、本実施例のリモコン装置における機能ブロックの一例を表す図である。この図にあるように、本実施例の「リモコン装置」（１０００）は、実施例２を基本として、「通信部」（１００１）と、「タッチパッド部」（１００２）と、「縦横比情報取得部」（１００３）と、「演算式格納部」（１００４）と、「操作不可領域演算部」（１００５）と、「操作不可設定部」（１００６）と、を有する。なお、これら構成要件は上記実施例２に記載済みであるので、その説明は省略する。そして、本実施例のリモコン装置の特徴点は、さらに「識別表示部」（１００７）を有する点である。
【００５０】
「識別表示部」（１００７）は、操作不可設定部にて操作不可とされたタッチパッド部のタッチ領域を操作不可領域として利用者に識別可能に表示する機能を有する。具体的に、例えばタッチパッドを情報表示機能を備える「タッチスクリーン」として構成し、タッチスクリーンにて操作不可領域とそれ以外の操作可能領域とを色分け表示することで、利用者が両領域を識別可能となるよう表示する方法が挙げられる。そのほか、操作不可領域と操作可能領域との境界に線を描画することで、利用者が両領域を識別可能となるよう表示する方法なども挙げられる
【００５１】
そして、このようにタッチパッド上の操作不可領域と操作可能領域とが利用者に識別可能に表示されることで、利用者が気づかずに操作不可領域にタッチしてしまうことを防ぐことができる。したがってユーザーに実施例１よりもさらにストレスの無い快適な操作環境を提供することができる。
【００５２】
<処理の流れ>
図１１は、本実施例のリモコン装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、操作対象となるディスプレイの縦横比情報を取得する（ステップＳ１１０１）。続いて、予め演算式格納部に格納されている演算式を取得し（ステップＳ１１０２）、縦横比情報と演算式とに従って操作不可領域を演算する（ステップＳ１１０３）。続いて、演算結果に基づいてタッチパッド部のタッチ領域内に操作不可領域を設定する（ステップＳ１１０４）。そして、操作不可領域に設定されたタッチパッド部のタッチ領域を、例えば色分け表示するなどして利用者に識別可能に表示する（ステップＳ１１０５）。
【００５３】
<効果の簡単な説明>
以上のように本実施例のリモコン装置によって、タッチパッド上の操作不可領域と操作可能領域とが利用者に識別可能に表示されることで、利用者が気づかずに操作不可領域にタッチしてしまうことを防ぐことができる。したがって本実施例のリモコン装置によってユーザーにさらにストレスの無い快適な操作環境を提供することができる。
【００５４】
≪実施例４≫
<概要>
図１２は、本実施例のリモコン装置によるタッチパッドを利用したディスプレイ装置の遠隔操作の一例を表す概念図である。この図にあるように、本実施例のリモコン装置では、縦横比３：４であるタッチパッド上のタッチ位置Ｂの座標情報を、操作対象である縦横比９：１６であるディスプレイ上の位置Ａの座標情報となるよう写像関数によって変換して送信することを特徴とする。
【００５５】
<機能的構成>
図１３は、本実施例のリモコン装置における機能ブロックの一例を表す図である。この図にあるように、本実施例の「リモコン装置」（１３００）は、「通信部」（１３０１）と、「タッチパッド部」（１３０２）と、「縦横比情報取得部」（１３０３）と、「写像関数保持部」（１３０４）と、「タッチ位置取得部」（１３０５）と、「変換部」（１３０６）と、を有する。なお、本実施例のリモコン装置における「通信部」、「タッチパッド部」、「縦横比情報取得部」は、上記実施例２の同名の構成要件と同様の機能を有するので、その具体的な説明は省略する。
【００５６】
「写像関数保持部」（１３０４）は、タッチパッド上のタッチ位置とディスプレイ上の指示位置との写像関数をディスプレイ縦横比情報に応じて複数種類保持する機能を有し、例えばフラッシュメモリや小型ＨＤＤ、その他リモコン装置に適した小型の記録媒体によって実現することが出来る。
【００５７】
図１４は、写像関数保持部にて保持されている写像関数の一例を表す図である。この図にあるように、例えばディスプレイの縦横比を「Ｙ：Ｘ」とし、タッチパッドの縦横比を「ｂ：ａ」とする。そして両者の中央点の位置座標を（０，０）とした場合、タッチパッドのタッチ位置座標（ｘ、ｙ）のディスプレイにおける写像位置座標Ｚは、Ｚ＝（Ｘ／ａ，Ｙ／ｂ）（ｘ，ｙ）・・・（１）という行列変換式で表すことができる。したがって、写像関数保持部では、この（１）式を写像関数として保持し、取得したディスプレイの縦横比（Ｙ：Ｘ）及び予め保持しているタッチパッドの縦横比（ｂ：ａ）を上記式に代入することで、ディスプレイの縦横比に応じた複数の写像関数を保持するよう構成しても良い。このように、「ディスプレイ縦横比情報に応じた写像関数の複数種類保持」とは、（１）式の写像関数にディスプレイ縦横比情報を代入することで複数の写像関数を生成可能に保持する態様も含む概念である。
【００５８】
あるいは、予め想定されるディスプレイの縦横比及び自身のタッチパッドの縦横比を上記（１）式に代入し、その代入したディスプレイの縦横比と写像関数とを対応付けたテーブルデータを保持するよう構成し、ディスプレイ縦横比情報をキーとしてテーブルデータ内から写像関数を選択可能に構成しても良い。
【００５９】
「タッチ位置取得部」（１３０５）は、タッチパッド部でのタッチ位置を取得する機能を有する。なお、タッチパッド部でのタッチ位置の取得は、例えば静電式のタッチパッドであれば、格子状に配した電極によって電気容量の変化が検知され、指が置かれた位置（座標情報）が検出される、と言う具合に、タッチパッドの検出方式に合わせた従来同様の方法にてタッチ位置情報を取得すると良い。
【００６０】
「変換部」（１３０６）は、取得したディスプレイ縦横比情報により写像関数保持部から選択される写像関数を利用して取得したタッチ位置をディスプレイ上の指示位置に変換する機能を有し、例えばＣＰＵと主メモリなどの演算装置によって実現することが出来る。具体的には、例えば検出したフラッシュメモリなどに保持されている写像関数である（１）式に、取得したディスプレイの縦横比（９：１６）及び予め保持しているタッチパッドの縦横比（３：４）などを代入し、Ｚ＝（４，３）（ｘ，ｙ）を選択（生成）する。そして、ＣＰＵの演算処理によってタッチパッドで検出されたタッチ位置座標（ｘ，ｙ）を上記選択された写像関数に代入し、写像変換後の座標情報Ｚを算出する、という具合である。あるいは、写像関数がディスプレイの縦横比に応じてテーブルデータとして保持されていれば、取得した縦横比情報をキーとして、そのテーブルデータから対応する写像関数式を取得し、ＣＰＵの演算処理によって変換座標情報を算出しても良い。
【００６１】
このように、ディスプレイとタッチパッドの縦横比が異なる場合であっても、写像関数を利用してタッチ位置の座標をディスプレイ上の写像位置に変換することができる。したがって、タッチパッド上の全ての領域において操作が無効となる領域がなくなるので、ユーザーはストレス無く操作をすることができる。
【００６２】
<ハードウェア構成>
図１５は、上記機能的な各構成要件をハードウェアとして実現した際の、リモコン装置における構成の一例を表す概略図である。この図を利用してタッチ位置の写像変換処理におけるそれぞれのハードウェア構成部の働きについて説明する。
【００６３】
この図にあるように、リモコン装置は、変換部であり、またその他の各種演算処理を行う「ＣＰＵ」（１５０１）と、「主メモリ」（１５０２）と、を備えている。また写像関数保持部である「フラッシュメモリ」（１５０３）や、通信部及び縦横比情報取得部である「通信ＩＦ」（１５０４）、タッチパッド部及びタッチ位置取得部である「（タッチパッドの）制御機構」（１５０５）と「タッチパッド」（１５０６）も備えている。そしてそれらが「システムバス」などのデータ通信経路によって相互に接続され、情報の送受信や処理を行う。
【００６４】
ここで、実施例２のリモコン装置と同様にして、縦横比情報取得プログラムに従った処理によりディスプレイの縦横比が取得され、「主メモリ」のアドレス１に格納される。つづいて、変換プログラムに従った「ＣＰＵ」の演算処理によって、「主メモリ」のアドレス１に格納されている縦横比の値を「フラッシュメモリ」のアドレスAに格納されている（１）式に代入し、写像関数を生成する。そして生成した写像関数を「主メモリ」のアドレス２に格納する。
【００６５】
続いて、「タッチパッド」上にて指やスタイラスペンなどでタッチ操作を受付けると、「制御機構」は例えば電気容量の変化などからタッチ位置座標（ｘ、ｙ）を検出し、タッチ位置取得プログラムに従って「主メモリ」のアドレス３に格納する。そして変換プログラムに従った「ＣＰＵ」の演算処理によって写像関数を用いた座標（ｘ、ｙ）の変換処理を実行し、算出された変換タッチ位置Ｚを「主メモリ」のアドレス４に格納する。
【００６６】
そして、通信プログラムに従って、その変換タッチ位置Ｚを変調するなどして「通信ＩＦ」からディスプレイ装置に対してディスプレイ上の指示位置として送信する、という具合である。
【００６７】
<処理の流れ>
図１６は、本実施例のリモコン装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、操作対象となるディスプレイの縦横比情報を取得する（ステップＳ１６０１）。続いて、予め写像関数保持部に保持されている複数の写像関数の中から、縦横比情報に応じた写像関数を選択する（ステップＳ１６０２）。そしてタッチパッド部でのタッチ位置を取得する（ステップＳ１６０３）と、選択した写像関数を利用して、取得したタッチ位置をディスプレイ上の指示位置に変換する（ステップＳ１６０４）。そして、変換したディスプレイ上の指示位置をディスプレイ装置に対して送信する、という具合である。
【００６８】
<効果の簡単な説明>
以上のように本実施例のリモコン装置によって、ディスプレイとタッチパッドの縦横比が異なる場合であっても、写像関数を利用してタッチ位置の座標をディスプレイ上の写像位置に変換することができる。したがって、タッチパッド上の全ての領域において操作が無効となる領域がなくなるので、ユーザーはストレス無く操作をすることができる。
【００６９】
≪実施例５≫
<概要>
本実施例は、上記実施例４と同様にリモコン装置のタッチパッド部でのタッチ位置を、写像関数を利用してディスプレイ上の写像位置に変換することを特徴とする。そして、実施例４との相違点は、その写像変換処理をリモコン装置ではなくディスプレイ装置において実行する点である。
【００７０】
<機能的構成>
図１７は、本実施例のディスプレイ装置における機能ブロックの一例を表す図である。この図にあるように本実施例の「ディスプレイ装置」（１７００）は、「第二通信部」（１７０１）と、「第二縦横比情報取得部」（１７０２）と、「第二写像関数保持部」（１７０３）と、「第二タッチ位置取得部」（１７０４）と、「第二変換部」（１７０５）と、を有する。
【００７１】
「第二通信部」（１７０１）は、複数種類のディスプレイ操作用のタッチパッドを備えたリモコン装置からの操作信号を受信可能に構成されている。この第二通信部は、上記リモコン装置の通信部同様の構成である。またこの第二通信部は「複数のディスプレイ操作用のタッチパッドを備えたリモコン装置」に対応可能なことから、さまざまな縦横比のタッチパッドからの操作信号（タッチ位置座標）を受信することになる。したがって下記のような写像変換処理を必要とする、ということである。
【００７２】
「第二縦横比情報取得部」（１７０２）は、リモコン装置のタッチパッドの縦横比情報を取得する機能を有する。この第二縦横比情報取得部も、ディスプレイではなくタッチパッドの縦横比であること以外、上述のリモコン装置の縦横比情報取得部と同様の構成であるのでその説明は省略する。
【００７３】
「第二写像関数保持部」（１７０３）は、タッチパッド上のタッチ位置とディスプレイ上の指示位置との写像関数をタッチパッド縦横比情報に応じて複数種類保持する機能を有し、ディスプレイ縦横比では無くタッチパッド縦横比に応じた写像関数であること以外、上記リモコン装置の写像関数保持部と同様の構成であるので、その説明は省略する。
【００７４】
「第二タッチ位置取得部」（１７０４）は、リモコン装置に備えられたタッチパッド部でのタッチ位置を取得する機能を有し、例えば通信ＩＦやタッチ位置取得プログラムなどによって実現できる。具体的に、前述のようにしてリモコン装置にて検出され、所定の変調方式で変調され送信されてきたタッチ位置座標を、通信ＩＦにて受信、復調することで、当該タッチ位置情報を取得する、という具合である。
【００７５】
「第二変換部」（１７０５）は、取得したタッチパッド縦横比情報により写像関数保持部から選択される写像関数を利用して取得したタッチ位置をディスプレイ上の指示位置に変換する機能を有する。この第二変換部も、ディスプレイ縦横比情報ではなくタッチパッド縦横比情報で選択される写像関数を利用する点以外は、前述のリモコン装置の変換部と同様の演算処理を行うので、その説明は省略する。
【００７６】
このように本実施例のディスプレイ装置においても、上記実施例４のリモコン装置同様に、ディスプレイとタッチパッドの縦横比が異なる場合であっても、写像関数を利用してタッチ位置の座標をディスプレイ上の写像位置に変換することができる。
【００７７】
<ハードウェア構成>
図１８は、上記機能的な各構成要件をハードウェアとして実現した際の、ディスプレイ装置における構成の一例を表す概略図である。なお、処理の主体がリモコン装置からディスプレイ装置に変わった点と、ディスプレイの縦横比情報の替わりに外部情報であるタッチパッドの縦横比情報を取得、利用する点以外は、実施例４のリモコン装置と同様である。従って上記相違点を中心に以下のハードウェア構成部の働きについて説明する。
【００７８】
この図にあるように、ディスプレイ装置は、実施例４のリモコン装置同様に「ＣＰＵ」（１８０１）と、「主メモリ」（１８０２）と、「フラッシュメモリ」（１８０３）と、「通信ＩＦ」（１８０４）と、を備えている。またリモコン装置には無い「（ディスプレイの）制御回路」（１８０５）と「ディスプレイ」（１８０６）も備えている。そしてそれらが「システムバス」などのデータ通信経路によって相互に接続され、情報の送受信や処理を行う。
【００７９】
ここで、縦横比情報取得プログラムに従った処理により、リモコン装置のタッチパッドの縦横比が「通信ＩＦ」にて取得され、「主メモリ」のアドレス１に格納される。つづいて、変換プログラムに従ってタッチパッドの縦横比に応じて「フラッシュメモリ」に格納されている写像関数を選択（生成）し、選択した写像関数を「主メモリ」のアドレス２に格納する。
【００８０】
続いて、リモコン装置から送信されてきたタッチパッドのタッチ位置を「通信ＩＦ」にて受信すると、タッチ位置取得プログラムに従って、そのタッチ位置を「主メモリ」のアドレス３に格納する。そして変換プログラムに従った「ＣＰＵ」の演算処理によって写像関数を用いた座標（ｘ、ｙ）の変換処理を実行し、算出された変換タッチ位置Ｚを「主メモリ」のアドレス４に格納する。そして、変換されたタッチ位置座標Ｚをディスプレイ上の指示位置として、当該指示位置に対応する操作処理を実行する、という具合である。
【００８１】
<処理の流れ>
図１９は、本実施例のディスプレイ装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、リモコン装置のタッチパッドの縦横比情報を取得する（ステップＳ１９０１）。続いて、予め写像関数保持部に保持されている複数の写像関数の中から、タッチパッドの縦横比情報に応じた写像関数を選択する（ステップＳ１９０２）。そしてリモコン装置のタッチパッド部にて検出され、送信されてきたタッチ位置を取得する（ステップＳ１９０３）と、選択した写像関数を利用して、取得したタッチ位置を自身のディスプレイ上の指示位置に変換する（ステップＳ１９０４）。そして、変換したディスプレイ上の指示位置に対応する操作処理を実行する。
【００８２】
<効果の簡単な説明>
以上のように、本実施例のディスプレイ装置によっても、ディスプレイとタッチパッドの縦横比が異なる場合であっても、写像関数を利用してタッチ位置の座標をディスプレイ上の写像位置に変換することができる。したがって、リモコン装置のタッチパッド上の全ての領域において操作が無効となる領域がなくなるので、ユーザーはストレス無く操作をすることができる。
【図面の簡単な説明】
【００８３】
【図１】実施例１のディスプレイシステムにおける構成上の特徴の一例を説明するための概念図
【図２】実施例１のディスプレイシステムにおける構造の一例を表す図
【図３】実施例２のリモコン装置によるタッチパッドを利用したディスプレイの遠隔操作の一例を説明するための図
【図４】実施例２のリモコン装置における機能ブロックの一例を表す図
【図５】実施例２のリモコン装置の演算式格納部に格納されている演算式の一例を表す図
【図６】実施例２のリモコン装置の演算式格納部に演算式として格納されているテーブルデータの一例を表す図
【図７】実施例２のリモコン装置の操作不可領域演算部での演算結果の一例を表す図
【図８】実施例２のリモコン装置におけるハードウェア構成の一例を表す図
【図９】実施例２のリモコン装置における処理の流れの一例を表すフローチャート
【図１０】実施例３のリモコン装置における機能ブロックの一例を表す図
【図１１】実施例３のリモコン装置における処理の流れの一例を表すフローチャート
【図１２】実施例４のリモコン装置によるタッチパッドを利用したディスプレイ装置の遠隔操作の一例を表す概念図
【図１３】実施例４のリモコン装置における機能ブロックの一例を表す図
【図１４】実施例４のリモコン装置の写像関数保持部にて保持されている写像関数の一例を表す図
【図１５】実施例４のリモコン装置におけるハードウェア構成の一例を表す図
【図１６】実施例４のリモコン装置における処理の流れの一例を表すフローチャート
【図１７】実施例５のディスプレイ装置における機能ブロックの一例を表す図
【図１８】実施例５のディスプレイ装置におけるハードウェア構成の一例を表す図
【図１９】実施例５のディスプレイ装置における処理の流れの一例を表すフローチャート
【符号の説明】
【００８４】
０４００  リモコン装置
０４０１  通信部
０４０２  タッチパッド部
０４０３  縦横比情報取得部
０４０４  演算式格納部
０４０５  操作不可領域演算部
０４０６  操作不可設定部
【図１】
2009253773.tif 000003
【図２】
2009253773.tif 000004
【図３】
2009253773.tif 000005
【図４】
2009253773.tif 000006
【図５】
2009253773.tif 000007
【図６】
2009253773.tif 000008
【図７】
2009253773.tif 000009
【図８】
2009253773.tif 000010
【図９】
2009253773.tif 000011
【図１０】
2009253773.tif 000012
【図１１】
2009253773.tif 000013
【図１２】
2009253773.tif 000014
【図１３】
2009253773.tif 000015
【図１４】
2009253773.tif 000016
【図１５】
2009253773.tif 000017
【図１６】
2009253773.tif 000018
【図１７】
2009253773.tif 000019
【図１８】
2009253773.tif 000020
【図１９】
2009253773.tif 000021